【手続補正書】
【提出日】平成20年7月23日(2008.7.23)
【手続補正１】
【補正対象書類名】明細書
【補正対象項目名】特許請求の範囲
【補正方法】変更
【補正の内容】
【特許請求の範囲】
【請求項１】
１ないし５００μｍの厚さを有する透明ポリオレフィン、ポリエステル又はポリアミド製品であって、光、酸素、熱及び／又は攻撃的な化学物質の影響に対して、ポリオレフィン、ポリエステル又はポリアミドに基づき、ヒドロキシフェニルトリアジンＵＶ吸収剤の０．００５ないし０．３０％の添加により安定化される前記製品。
【請求項２】
他の安定剤として、ポリオレフィン、ポリエステル又はポリアミドに基づき、立体障害性アミンを０．０１ないし６重量％の量で含有する請求項１に記載の透明ポリオレフィン、ポリエステル又はポリアミド製品。
【請求項３】
立体障害性アミン：ヒドロキシフェニルトリアジンＵＶ吸収剤の重量比が２：１ないし２０：１の範囲である請求項２に記載の透明ポリオレフィン、ポリエステル又はポリアミド製品。
【請求項４】
フィルム、繊維、リボン又は延伸テープ、とりわけポリオレフィン農業用フィルムである請求項１に記載の透明ポリオレフィン、ポリエステル又はポリアミド製品。
【請求項５】
ポリオレフィンが、ポリエチレン又はポリプロピレンである請求項１に記載の透明ポリオレフィン製品。
【請求項６】
加工安定剤、充填剤、透明剤、変性剤、酸捕捉剤、難燃剤、及びとりわけ、他の光安定剤からなる群より選ばれる他の成分を付加的に含有する請求項１ないし請求項５のいずれかに記載の透明ポリオレフィン、ポリエステル又はポリアミド製品。
【請求項７】
保護された環境における微生物の成長を抑制する方法であって、前記方法が請求項４に記載の透明ポリオレフィンフィルムによりその環境を覆うことからなる方法。
【請求項８】
温室内の農作物への太陽及び／又は人工光線放射を選択的に遮蔽する方法であって、請求項４に記載のポリオレフィンフィルムにより前記温室を覆うことからなる方法。
【請求項９】
式ａ、ｂ、ｆ、ｇ、ｈ又はｋ
【化５】
2002114879.tif 000001
【化６】
2002114879.tif 000002
【化７】
2002114879.tif 000003
【化８】
2002114879.tif 000004
【化９】
2002114879.tif 000005
【化１０】
2002114879.tif 000006
［式中、Ｘは、炭素原子数１３ないし２４のアルキレン基；（炭素原子数１ないし１８のアルキレン）−ＣＯ−Ｏ−Ｄ−Ｏ−ＣＯ−（炭素原子数１ないし１８のアルキレン）（ここでＤは、炭素原子数２ないし１２のアルキレン基を表す）；ＣＯ−（炭素原子数１３ないし２４のアルキレン）−ＣＯ；酸素原子により中断された炭素原子数３ないし２４のアルキレン基、とりわけ（炭素原子数１ないし３のアルキレン）−Ｏ−（炭素原子数１ないし３のアルキレン）］のうちの１つで表される化合物。
【請求項１０】
他の安定剤として、立体障害性アミンを含む請求項１記載の透明ポリオレフィン、ポリエステル又はポリアミド製品。
【請求項１１】
立体障害性アミンが、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１，２，２，６，６−ペンタメチル−４−ピペリジル）ｎ−ブチル−３，５−ジ−第三ブチル−４−ヒドロキシベンジルマロネート、１−（２−ヒドロキシエチル）−２，２，６，６−テトラメチル−４−ヒドロキシピペリジン及びコハク酸の縮合物、Ｎ，Ｎ'−ビス（２，２，６，
６−テトラメチル−４−ピペリジル）ヘキサメチレンジアミン及び４−第三オクチルアミノ−２，６−ジクロロ−１，３，５−トリアジンの線状又は環状縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１'−（１，２−エタンジイル）−ビス（３，３，５，５−テトラメチル
ピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−第三ブチルベンジル）−マロネート、３−ｎ−オクチル−７，７，９，９−テトラメチル−１，３，８−トリアザスピロ［４．５］デカン−２，４−ジオン、Ｎ，Ｎ'−ビス（２，２
，６，６−テトラメチル−４−ピペリジル）−ヘキサメチレンジアミン及び４−モルホリノ−２，６−ジクロロ−１，３，５−トリアジンの線状又は環状縮合物、２−クロロ−４，６−ビス（４−ｎ−ブチルアミノ−２，２，６，６−テトラメチルピペリジル）−１，３，５−トリアジン及び１，２−ビス（３−アミノプロピルアミノ）エタンの縮合物、２−クロロ−４，６−ジ−（４−ｎ−ブチルアミノ−１，２，２，６，６−ペンタメチルピ
ペリジル）−１，３，５−トリアジン及び１，２−ビス−（３−アミノプロピルアミノ）−エタンの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−及び４−ステアリルオキシ−２，２，６，６−テトラメチルピペリジンの混合物、Ｎ，Ｎ'−ビス（２，２，６，６−テトラメチル−４−ピペ
リジル）ヘキサメチレンジアミン及び４−シクロヘキシルアミノ−２，６−ジクロロ−１，３，５−トリアジンの縮合生成物、１，２−ビス（３−アミノプロピルアミノ）エタン及び２，４，６−トリクロロ−１，３，５−トリアジン並びに４−ブチルアミノ−２，２，６，６−テトラメチルピペリジンの縮合生成物；１，２−ビス（３−アミノプロピルアミノ）エタン及び２，４，６−トリクロロ−１，３，５−トリアジン並びに４−ブチルアミノ−２，２，６，６−テトラメチルピペリジンの縮合生成物；１，６−ヘキサンジアミン及び２，４，６−トリクロロ−１，３，５−トリアジン並びにＮ，Ｎ−ジブチルアミン及び４−ブチルアミノ−２，２，６，６−テトラメチルピペリジンの縮合生成物；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４．５］デカン、７，７，９，９−テトラメチル−２−シクロウンデシル−１−オキサ−３，８−ジアザ−４−オキソ−スピロ［４．５］デカン及びエピクロロヒドリンの反応生成物、１，１−ビス（１，２，２，６，６−ペンタメチル−４−ピペリジルオキシカルボニル）−２−（４−メトキシフェニル）エテン、Ｎ，Ｎ'−ビス−ホル
ミル−Ｎ，Ｎ'−ビス（２，２，６，６−テトラメチル−４−ピペリジル）ヘキサメチレ
ンジアミン、４−メトキシ−メチレン−マロン酸と１，２，２，６，６−ペンタメチル−４−ヒドロキシ−ピペリジンとのジエステル、ポリ［メチルプロピル−３−オキシ−４−（２，２，６，６−テトラメチル−４−ピペリジル）］シロキサン；マレイン酸無水物−α−オレフィンコポリマーと２，２，６，６−テトラメチル−４−アミノピペリジン又は１，２，２，６，６−ペンタメチル−４−アミノピペリジンとの反応生成物；Ｎ，Ｎ'，
Ｎ"，Ｎ'"−テトラキス（４，６−ビス（ブチル−（Ｎ−メチル−２，２，６，６−テト
ラメチルピペリジニ−４−イル）アミノ）トリアジニ−２−イル）−４，７−ジアザデカン−１，１０−ジアミン；
【化１１】
2002114879.tif 000007
【化１２】
2002114879.tif 000008
【化１３】
2002114879.tif 000009
（式中、ｎは主として３ないし５の範囲である）；立体障害性ヒドロキシルアミンエーテル、及びこれら化合物の混合物；から選ばれ、及びポリオレフィン、ポリエステル又はポリアミドの重量に対して０．０１ないし６％の量で含有される請求項１０記載の透明ポリオレフィン、ポリエステル又はポリアミド製品。